(57)【特許請求の範囲】
【請求項１】
理美容鋏であって、
刃体部、中間部及び柄部を有し、前記刃体部及び前記中間部が略直線状に延びる一対の鋏部材と、
前記中間部において前記一対の鋏部材を接続する接続部材を含む接続機構と、
を備え、
前記一対の鋏部材の一方には、前記接続部材が挿入されると共に、前記理美容鋏の開閉に伴って前記接続部材が相対移動する長穴が、前記中間部の長手方向に長くなるように設けられており、
両方の前記鋏部材の前記中間部の裏面うち前記接続部材よりも前記刃体部側の位置から前記刃体部の裏面にかけて凹曲面状の裏スキが設けられており、前記中間部の裏スキは、前記中間部の幅方向中央を通るように設けられており、前記刃体部の裏スキは、前記刃体部の基端側において峰側に偏位し、且つ前記刃体部の先端にかけて刃線と平行に湾曲して設けられており、
前記中間部の裏面のうち、前記裏スキと前記接続部材との間の部分、及び前記接続部材よりも前記柄部側の部分に触点が設けられている、
理美容鋏。
【請求項２】
理美容鋏であって、
刃体部、中間部及び柄部を有し、前記刃体部及び前記中間部が略直線状に延びる一対の鋏部材と、
前記中間部において前記一対の鋏部材を接続する接続部材を含む接続機構と、
を備え、
前記一対の鋏部材の一方には、前記接続部材が挿入されると共に、前記理美容鋏の開閉に伴って前記接続部材が相対移動する長穴が、前記中間部の長手方向に長くなるように設けられており、
両方の前記鋏部材の前記中間部の裏面うち前記接続部材よりも前記柄部側の位置から前記刃体部の裏面にかけて凹曲面状の裏スキが設けられており、前記中間部の裏スキは、前記中間部の幅方向中央を通るように設けられており、前記刃体部の裏スキは、前記刃体部の基端側において峰側に偏位し、且つ前記刃体部の先端にかけて刃線と平行に湾曲して設けられており、
前記中間部の裏面のうち、前記裏スキよりも前記柄部側の部分に触点が設けられている、
理美容鋏。
【請求項３】
前記長穴が設けられた鋏部材の表面には、前記長穴と同方向に延びる長手状の凹部が設けられており、
前記長穴は、前記凹部よりも幅が小さく、且つ、前記凹部の底部を貫通しており、
前記凹部の底部の表面は、前記長穴が設けられた鋏部材の裏面の反りと略同じ曲率で表側に湾曲しており、
前記接続部材の一部は、前記凹部の底部の表面上に配置されると共に、前記理美容鋏の開閉に伴い、前記凹部の底部の表面に沿って、前記長穴に対して相対移動する、
請求項１又は２に記載の理美容鋏。
【発明の詳細な説明】
【技術分野】
【０００１】
本発明は、理美容鋏に関する。
【背景技術】
【０００２】
従来、鋏の切れ味をよくするために、鋏に対して様々な工夫が成されている。例えば、特許文献１には、鋏の片側にネジ付きピンを２ヶ所設けて、刃先に当たる部分は平らな面とし、鋏の反対側には、ピンに対応する箇所に長穴をあけ、刃先には切刃を取り付けた、スライドする鋏が開示されている。
【先行技術文献】
【特許文献】
【０００３】
【特許文献１】特開平３−９７８２号公報
【発明の概要】
【発明が解決しようとする課題】
【０００４】
本発明は、切れ味が向上した理美容鋏を提供することを目的とする。
【課題を解決するための手段】
【０００５】
本発明は以下の特徴を有する。
【０００６】
（項目１）
理美容鋏であって、
刃体部、中間部及び柄部を有し、前記刃体部及び前記中間部が略直線状に延びる一対の鋏部材と、
前記中間部において前記一対の鋏部材を接続する接続部材を含む接続機構と、
を備え、
前記一対の鋏部材の一方には、前記接続部材が挿入されると共に、前記理美容鋏の開閉伴って前記接続部材が相対移動する長穴が、前記中間部の長手方向に長くなるように設けられており、
両方の前記鋏部材の前記中間部の裏面うち前記接続部材よりも前記刃体部側の位置から前記刃体部の裏面にかけて凹曲面状の裏スキが設けられており、前記中間部の裏スキは、前記中間部の幅方向中央を通るように設けられており、前記刃体部の裏スキは、前記刃体部の基端側において峰側に偏位し、且つ前記刃体部の先端にかけて刃線と平行に湾曲して設けられており、
前記中間部の裏面のうち、前記裏スキと前記接続部材との間の部分、及び前記接続部材よりも前記柄部側の部分に触点が設けられている、
理美容鋏。
【０００７】
（項目２）
理美容鋏であって、
刃体部、中間部及び柄部を有し、前記刃体部及び前記中間部が略直線状に延びる一対の鋏部材と、
前記中間部において前記一対の鋏部材を接続する接続部材を含む接続機構と、
を備え、
前記一対の鋏部材の一方には、前記接続部材が挿入されると共に、前記理美容鋏の開閉に伴って前記接続部材が相対移動する長穴が、前記中間部の長手方向に長くなるように設けられており、
両方の前記鋏部材の前記中間部の裏面うち前記接続部材よりも前記柄部側の位置から前記刃体部の裏面にかけて凹曲面状の裏スキが設けられており、前記中間部の裏スキは、前記中間部の幅方向中央を通るように設けられており、前記刃体部の裏スキは、前記刃体部の基端側において峰側に偏位し、且つ前記刃体部の先端にかけて刃線と平行に湾曲して設けられており、
前記中間部の裏面のうち、前記裏スキよりも前記柄部側の部分に触点が設けられている、
理美容鋏。
【０００８】
（項目３）
前記長穴が設けられた鋏部材の表面には、前記長穴と同方向に延びる長手状の凹部が設けられており、
前記長穴は、前記凹部よりも幅が小さく、且つ、前記凹部の底部を貫通しており、
前記凹部の底部の表面は、前記長穴が設けられた鋏部材の裏面の反りと略同じ曲率で表側に湾曲しており、
前記接続部材の一部は、前記凹部の底部の表面上に配置されると共に、前記理美容鋏の開閉に伴い、前記凹部の底部の表面に沿って、前記長穴に対して相対移動する、
項目１又は２に記載の理美容鋏。
【発明の効果】
【０００９】
本発明により、切れ味が向上した理美容鋏を提供できる。
【図面の簡単な説明】
【００１０】
図１から図６は、第一実施形態の理美容鋏に関連する図であり、図７及び図８は、第二実施形態の理美容鋏に関連する図である。
【００１１】
【図１】閉じた状態の理美容鋏の平面図である。
【図２】開いた状態の理美容鋏の平面図である。
【図３】理美容鋏の分解斜視図である。
【図４】（ａ）図１のＩＶａ−ＩＶａ線端面図、（ｂ）図１のＩＶｂ−ＩＶｂ線断面図である。
【図５】（ａ）第一鋏部材の裏面を表す平面図、（ｂ）第二鋏部材の裏面を表す平面図である。
【図６】図４（ｂ）のＶＩ部分拡大図である。
【図７】（ａ）第一鋏部材の裏面を表す平面図、（ｂ）第二鋏部材の裏面を表す平面図である。
【図８】閉じた状態の理美容鋏の断面図である。
【発明を実施するための形態】
【００１２】
＜Ａ  第一実施形態＞
図１から図６を参照して、第一実施形態の理美容鋏１００Ａについて説明する。
【００１３】
［１−１  理美容鋏の構造］
図１から図３に示すように、理美容鋏１００Ａは、第一鋏部材１０と、第二鋏部材２０と、接続機構３０と、を備える。第一鋏部材１０と第二鋏部材２０とは、接続機構３０によって接続されている。以下では、第一鋏部材１０及び第二鋏部材２０それぞれにおいて、相手側の鋏部材１０、２０と対向する側の面を「裏面」と表記する。また、第一鋏部材１０及び第二鋏部材２０それぞれにおいて、裏面とは反対側の面を「表面（おもてめん）」と表記する。
【００１４】
図１から図３に示すように、第一鋏部材１０は、刃体部１１と、中間部１２と、柄部１３と、を備える。刃体部１１は、刃１１ａと、峰１１ｂとを有し、刃１１ａは、後述する第二鋏部材２０の刃体部２１の刃２１ａと協働して、切断対象物（毛髪）を切断する。中間部１２は、刃体部１１と柄部１３との間に位置する部分である。刃体部１１と中間部１２とは、略直線状に延びている。柄部１３には、使用者の薬指を挿入するための指環部１３１と、小指掛け１３２と、が設けられている。本実施形態において、第一鋏部材１０は静刃である。
【００１５】
図１から図３に示すように、第二鋏部材２０は、刃体部２１と、中間部２２と、柄部２３と、を備える。刃体部２１は、刃２１ａと、峰２１ｂとを有し、刃２１ａは、第一鋏部材１０の刃体部１１の刃１１ａと協働して、切断対象物を切断する。中間部２２は、刃体部２１と柄部２３との間に位置する部分である。刃体部２１と中間部２２とは、略直線状に延びている。柄部２３には、使用者の親指を挿入するための指環部２３１が設けられている。本実施形態において、第二鋏部材２０は動刃である。
【００１６】
図４（ａ）及び（ｂ）に示すように、第一鋏部材１０の裏面１０ａ及び第二鋏部材２０の裏面２０ａは、凹曲面状の裏スキ（「ひぞこ」とも呼ばれる）を有する。裏スキは、例えば、裏面１０ａ、２０ａを研削装置によって研削することで形成できる。また、図４（ｂ）に示すように、第一鋏部材１０の裏面１０ａ及び第二鋏部材２０の裏面２０ａは、相手側の鋏部材から離れるように略同じ曲率で反っており、第一鋏部材１０と第二鋏部材２０との間には隙間が存在する。
【００１７】
図５（ａ）に示すように、第一鋏部材１０の裏スキは、中間部１２のうち後述する接続部材３１（後述する貫通穴１５）よりも刃体部１１側の位置から、刃体部１１の裏面にかけて設けられている。図５（ａ）では、第一鋏部材１０の裏スキの凹曲面の最深部（谷底）を線Ｌ１で示している。中間部１２における裏スキは、中間部１２の幅方向中央を通るように設けられており、裏スキの凹曲面の最深部は、中間部１２の幅方向中央を通る。刃体部１１における裏スキは、刃体部１１の基端側（すなわち、中間部１２に近い側）では峰１１ｂ側に偏位して峰１１ｂ近傍を通り、刃体部１１の先端にかけて刃１１ａの刃線と平行に湾曲している。最深部を示す線Ｌ１は、刃体部１１の先端側では、刃体部１１上から外れている。つまり、刃体部１１の先端側では、裏スキの凹曲面は谷底まで到達しておらず、刃体部１１の先端側の裏スキは、峰１１ｂにかけて湾曲した形状となる。
【００１８】
図５（ｂ）に示すように、第二鋏部材２０の裏スキは、中間部２２のうち後述する接続部材３１よりも刃体部２１側の位置から、刃体部２１の裏面にかけて設けられている。図５（ｂ）では、第二鋏部材２０の裏スキの凹曲面の最深部（谷底）を線Ｌ２で示している。中間部２２における裏スキは、中間部２２の幅方向中央を通るように設けられており、裏スキの凹曲面の最深部は、中間部２２の幅方向中央を通る。刃体部２１における裏スキは、刃体部２１の基端側（すなわち、中間部２２に近い側）では峰２１ｂ側に偏位して峰２１ｂ近傍を通り、刃体部２１の先端にかけて刃２１ａの刃線と平行に湾曲している。最深部を示す線Ｌ２は、刃体部２１の先端側では、刃体部２１上から外れている。つまり、刃体部２１の先端側では、裏スキの凹曲面は谷底まで到達しておらず、刃体部２１の先端側の裏スキは、峰２１ｂにかけて湾曲した形状となる。
【００１９】
図４及び図５に示すように、第一鋏部材１０の中間部１２の裏面のうち、裏スキよりも柄部１３側の部分（すなわち、中間部１２の裏面のうち、裏スキと接続部材３１との間の部分、及び接続部材３１よりも柄部１３側の部分）と、第二鋏部材２０の中間部２２の裏面のうち、裏スキよりも柄部２３側の部分（すなわち、中間部２２の裏面のうち、裏スキと接続部材３１との間の部分、及び接続部材３１よりも柄部２３側の部分）は、理美容鋏１００Ａを開閉した際に互いに接触し、触点Ｐとして機能する。
【００２０】
図２及び図３に示すように、第一鋏部材１０の中間部１２の裏面には、ガイド溝１４が設けられている。ガイド溝１４は、中間部１２の長手方向に対して傾斜している。また、中間部１２には、ガイド溝１４よりも刃体部１１側の位置に、貫通穴１５が設けられている。この貫通穴１５には、後述する接続部材３１の軸部３１２が挿入される。
【００２１】
図２及び図３に示すように、第二鋏部材２０の中間部２２には、中間部２２の裏面から突出するガイド突起４０が設けられている。ガイド突起４０はガイド溝１４内に挿入されている。本実施形態において、ガイド突起４０は、中間部２２に取り付けられたガイドピンである。
【００２２】
図３に示すように、第二鋏部材２０の中間部２２の表面には、中間部２２の長手方向に延びる長手状の凹部２４が設けられている。凹部２４の底部２４１には、底部２４１を貫通する長穴２５が設けられている。長穴２５は、凹部２４と同方向に延び、且つ、長さ及び幅が凹部２４の長さ及び幅よりも小さい。
【００２３】
図６に示すように、凹部２４の底部２４１の表面２４１ａは、第二鋏部材２０の反った裏面２０ａと略同じ曲率で、表側に凸となるように湾曲している。
【００２４】
図３に示すように、接続機構３０は、接続部材３１と、カラー３２と、ナット３３と、ワッシャ３４と、から構成されている。
【００２５】
接続部材３１は、例えばピン又はネジであり、円形の頭部３１１と、頭部３１１よりも小径の軸部３１２と、を備える。頭部３１１には、カラー３２が被せられており、頭部３１１の外周面及び底面はカラー３２によって覆われている。カラー３２は、好ましくは、第二鋏部材２０に対して摩擦抵抗が小さい材料から成り、例えば樹脂製である。頭部３１１及びカラー３２の直径は、凹部２４の幅より小さく、長穴２５の幅よりも大きい。軸部３１２の直径は、長穴２５の幅よりも小さくなっており、軸部３１２は、長穴２５を通って、貫通穴１５、ワッシャ３４及びナット３３に挿入される。ナット３３及びワッシャ３４は、第一鋏部材１０の中間部１２の表面側に配置されており、ナット３３を締め付けることにより、接続部材３１が第一鋏部材１０に固定されると共に、第一鋏部材１０と第二鋏部材２０とを接続することができる。
【００２６】
図６に示すように、ナット３３が締め付けられたとき、接続部材３１の頭部３１１及びカラー３２は、凹部２４内に配置される。カラー３２の底面は、凹部２４の底部２４１の表面２４１ａに接触している。また、カラー３２の外周面は、凹部２４の側面に接触している。
【００２７】
図３及び図６に示すように、第二鋏部材２０の中間部２２の表面には、凹部２４を覆うカバー５０が配置される。カバー５０は好ましくは透明のプラスチック材料から成る。カバー５０上にはカバー押さえ６０が被せられ、カバー押さえ６０を第二鋏部材２０の中間部２２に固定することにより、カバー５０は中間部２２に固定される。
【００２８】
［１−２  理美容鋏の動作］
次に、図１及び図２を参照して理美容鋏１００Ａの動作について説明する。
【００２９】
図１に示すように、理美容鋏１００Ａが最も閉じた状態では、ガイド突起４０は、ガイド溝１４の柄部１３側の端部に位置している。また、接続部材３１は、長穴２５の刃体部２１側の端部に位置している。
【００３０】
理美容鋏１００Ａの開閉に伴い、ガイド突起４０とガイド溝１４は相対移動し、接続部材３１と長穴２５は相対移動する。理美容鋏１００Ａの開閉動作の間、接続部材３１及びカラー３２は、カラー３２の底面と凹部２４の底部２４１の表面２４１ａとが接触しながら、長穴２５と相対移動する。つまり、理美容鋏１００Ａの開閉動作の間、接続部材３１の頭部３１１は、表側に湾曲した表面２４１ａに沿って移動する。図２に示すように、理美容鋏１００Ａが最も開いた状態では、ガイド突起４０はガイド溝１４の刃体部１１側の端部に位置する。また、接続部材３１は、長穴２５の柄部２３側の端部に位置する。
【００３１】
理美容鋏１００Ａを閉じる際に、接続部材３１は長穴２５に沿って相対移動するため、第一鋏部材１０及び第二鋏部材２０の一方の刃体部１１、２１は、他方の刃体部１１、２１に対してスライドしながら閉じる。
【００３２】
なお、理美容鋏１００Ａでは、通常、動刃である第二鋏部材２０が動かされるため、主としてガイド突起４０がガイド溝１４に対して移動する（すなわち、ガイド突起４０がガイド溝１４内を走行する）と共に、長穴２５が接続部材３１及びカラー３２に対して移動することになる。
【００３３】
［１−３  理美容鋏の特徴］
本発明の理美容鋏１００Ａでは、第一鋏部材１０及び第二鋏部材２０の一方の刃体部１１、２１が他方の刃体部１１、２１に対してスライドしながら閉じる。これにより、包丁によって物を切断するときのように、切断対象物をスライスしながら切断することができるため、切れ味が向上する。
【００３４】
第一鋏部材１０の裏面１０ａ、及び第二鋏部材２０の裏面２０ａが上記で説明したような裏スキを有することにより、理美容鋏１００Ａの開閉がスムーズになる。さらに、第一鋏部材１０の裏面１０ａ、及び第二鋏部材２０の裏面２０ａが上記で説明したような裏スキを有することにより、理美容鋏１００Ａの切断力を向上させることができる。
【００３５】
凹部２４の底部２４１の表面２４１ａが、第二鋏部材２０の裏面２０ａの反りと略同じ曲率で表側に凸となるように湾曲していることにより、理美容鋏１００Ａをよりスムーズに開閉することができる。
【００３６】
接続部材３１の頭部３１１にカラー３２が被せられていることにより、凹部２４の底部２４１の表面２４１ａ及び側面との摩擦抵抗を減らすことができるため、理美容鋏１００Ａをスムーズに開閉できる。
【００３７】
＜Ｂ  第二実施形態＞
図７及び図８を参照しつつ、第二実施形態の理美容鋏１００Ｂについて説明する。なお、以下では、上記実施形態との相違点を中心に説明し、上記実施形態と同一の構成要素又は同一の機能を有する構成要素については、上記実施形態と同一の符号を使用し、その説明を省略する。
【００３８】
第二実施形態の理美容鋏１００Ｂでは、裏スキが設けられている範囲が第一実施形態１００Ａとは異なる。
【００３９】
図７（ａ）に示すように、第一鋏部材１０の裏スキは、中間部１２のうち接続部材３１（貫通穴１５）よりも柄部１３側の位置から、刃体部１１の裏面にかけて設けられている。また、図７（ｂ）に示すように、第二鋏部材２０の裏スキは、中間部２２のうち接続部材３１よりも柄部２３側の位置から、刃体部２１の裏面にかけて設けられている。
【００４０】
図７及び図８に示すように、第一鋏部材１０の中間部１２の裏面のうち、裏スキよりも柄部１３側の部分と、第二鋏部材２０の中間部２２の裏面のうち、裏スキよりも柄部２３側の部分は、理美容鋏１００Ｂを開閉した際に互いに接触し、触点Ｐとして機能する。
【００４１】
理美容鋏１００Ｂも、理美容鋏１００Ａと同様の効果を得ることができる。
【００４２】
＜Ｃ  変形例＞
上記実施形態は、本発明の好ましい一具体例を示すものである。本発明は、上記実施形態に限定されず、その趣旨を逸脱しない範囲で適宜変更可能である。本発明は例えば以下の変形例を採用することができる。
【００４３】
（１）凹部２４、長穴２５及びガイド突起４０が第一鋏部材１０に設けられ、ガイド溝１４及び貫通穴１５が第二鋏部材２０に設けられていてもよい。この場合、ナット３３及びワッシャ３４は、第二鋏部材２０の中間部２２の表面側に配置され、接続部材３１は第二鋏部材２０に固定される。
【符号の説明】
【００４４】
１００Ａ        理美容鋏
１００Ｂ        理美容鋏
１０            第一鋏部材（鋏部材）
１０ａ          裏面
１１            刃体部
１２            中間部
１３            柄部
２０            第二鋏部材（鋏部材）
２０ａ          裏面
２１            刃体部
２２            中間部
２３            柄部
２４            凹部
２４１          底部
２４１ａ        表面
２５            長穴
３０            接続機構
３１            接続部材
Ｐ              触点
【要約】
【課題】切れ味が向上した理美容鋏を提供する。
【解決手段】理美容鋏１００Ａは、第一鋏部材１０と、第二鋏部材２０と、接続部材３１を含む接続機構３０と、を備える。第二鋏部材２０には、接続部材３１が相対移動する長穴２５が設けられている。刃体部１１、２１の裏スキは、刃体部１１、２１の基端部側においては峰１１ｂ、２１ｂ側に偏位し、刃体部１１、２１の先端にかけて刃線１１ａ、２１ａと平行に湾曲している。中間部１２、２２の裏スキは、中間部１２、２２の幅方向中央を通るように設けられている。中間部１２、２２の裏面のうち、裏スキと接続部材３１との間の部分、及び接続部材３１よりも柄部１３、２３側の部分に触点Ｐが設けられている。
【選択図】図３【図１】
0006916557.tif 000002
【図２】
0006916557.tif 000003
【図３】
0006916557.tif 000004
【図４】
0006916557.tif 000005
【図５】
0006916557.tif 000006
【図６】
0006916557.tif 000007
【図７】
0006916557.tif 000008
【図８】
0006916557.tif 000009